(57)【要約】【課題】輝度、コントラストを効果的に変更する。【解決手段】保持容量ラインＳＣ−ＡまたはＳＣ−Ｂを、画素ＴＦＴ１０をオンして、データライン上のデータ信号を保持容量１４に書き込んだ後、第１のレベルから第２のレベルに変化させる。これによって、液晶素子１２に印加する電圧をシフトし、表示を行う。そして、電圧発生回路２４によって、ＳＣドライバ２２に供給する電圧を変更し、ＳＣドライバ２２が、保持容量ラインＳＣ−ＡまたはＳＣ−Ｂの第１のレベルと第２のレベルの電位差を変更する。これによって、輝度、コントラストが調整される。【選択図】図１
2006011393.tif 000002
【特許請求の範囲】
【請求項１】
画素回路がマトリクス状に配置された表示装置であって、
各画素回路は、
一端がデータ信号が供給されるデータラインに接続され、ゲートが選択ラインに接続され選択ラインの選択信号をＨレベルまたはＬレベルに設定することによってオンオフされる画素ＴＦＴと、
一端が画素ＴＦＴの他端に接続され、他端が保持容量ラインに接続され、データラインから供給されたデータ信号の電圧を保持する保持容量と、
一方の電極が画素ＴＦＴの他端に接続され、他方の電極が共通電極電位に保持される液晶素子と、
を備えるとともに、
前記保持容量ラインは、前記画素ＴＦＴをオンして、データライン上のデータ信号を保持容量に書き込んだ後、第１のレベルから第２のレベルに変化し、これによって液晶素子に印加する電圧をシフトさせ、
前記保持容量ラインは、各画素回路の行に対応して２本設けられ、行方向に配置されている複数の画素回路は、２本の保持容量ラインのいずれか一方に接続されているとともに、２本の保持容量ラインは、２種類の電位を有し、
かつ、
前記保持容量ラインにおける第１のレベルと第２のレベルの差の電圧値が変更可能であることを特徴とする表示装置。
【請求項２】
請求項１に記載の表示装置において、
前記２種類の電位は、一方の電位が正から負の方向、または負から正の方向へ変化したときに、他方の電位はその逆の方向にシフトすることを特徴とする表示装置。
【発明の詳細な説明】
【技術分野】
【０００１】
画素回路がマトリクス状に配置された表示装置に関する。
【背景技術】
【０００２】
従来より、薄型化、小型化が可能で低消費電力の表示装置として、液晶表示装置が知られており、様々な機器の表示器として採用されている。この液晶表示装置（以下、ＬＣＤ）は、それぞれの対向面側に電極が形成された２枚の基板を、間に液晶を封入して貼り合わせた構成を備え、電極間に電圧信号を印加し、配向状態によって光学特性の変化する液晶の配向を制御して光源からの光の透過率を制御することで表示を行う。
【０００３】
ここで、基板の対向面側に形成されている電極間に直流電圧を印加し続けると、液晶分子の配向状態が固定される、つまり、いわゆる焼き付きの問題が発生することが知られており、従来より、液晶を駆動する電圧信号としては、基準電圧に対する極性が周期的に反転する交流電圧信号が採用されている。
【０００４】
この液晶駆動電圧信号の極性反転の方式としては、マトリクス状に複数の画素が配列されている液晶表示装置において、１フレーム毎の反転、１垂直走査（１Ｖ）単位（または１フィールド単位）毎の反転、１水平走査（１Ｈ）単位毎の反転、１画素（１ドット）単位毎の反転が知られている。なお、１フレーム単位は、例えば、ＮＴＳＣ信号でいう１フレーム単位であり、１フィールド単位は、１フレームを構成する複数のフィールドの各単位（例えば、奇数フィールドと偶数フィールド）に相当する。
【０００５】
特許文献１に示される、１画素（ドット）単位で、極性を反転するドット反転方式は、上述の方式中もっとも、反転が表示品質に及ぼす影響が出にくい方式であり好ましい。しかし、その駆動方式が複雑になりやすいという問題があった。
【０００６】
なお、ドット反転方式において、保持容量のベースとなるラインであるＳＣラインの電圧を変更することについては、特許文献１に提案されている。
【０００７】
【特許文献１】特開２００３−１５０１２７号公報
【発明の開示】
【発明が解決しようとする課題】
【０００８】
ここで、ＬＣＤにおいても、ＣＲＴなどと同様に、輝度やコントラストなどの調整が必要である。これらの調整は、電源電圧の変更や、データ信号の変換などで行うことが可能である。しかし、電源電圧の変更は能力的に難しい場合も多く、またデータ信号の変換の処理も負担が大きいという問題があった。
【課題を解決するための手段】
【０００９】
本発明は、画素回路がマトリクス状に配置された表示装置であって、各画素回路は、一端がデータ信号が供給されるデータラインに接続され、ゲートが選択ラインに接続され選択ラインの選択信号をＨレベルまたはＬレベルに設定することによってオンオフされる画素ＴＦＴと、一端が画素ＴＦＴの他端に接続され、他端が保持容量ラインに接続され、データラインから供給されたデータ信号の電圧を保持する保持容量と、一方の電極が画素ＴＦＴの他端に接続され、他方の電極が共通電極電位に保持される液晶素子と、を備えるとともに、前記保持容量ラインは、前記画素ＴＦＴをオンして、データライン上のデータ信号を保持容量に書き込んだ後、第１のレベルから第２のレベルに変化し、これによって液晶素子に印加する電圧をシフトさせ、  前記保持容量ラインは、各画素回路の行に対応して２本設けられ、行方向に配置されている複数の画素回路は、２本の保持容量ラインのいずれか一方に接続されているとともに、２本の保持容量ラインは、２種類の電位を有し、かつ、前記保持容量ラインにおける第１のレベルと第２のレベルの差の電圧値が変更可能であることを特徴とする。
【００１０】
また、前記２種類の電位は、一方の電位が正から負の方向、または負から正の方向にシフトしたときに、他方の電位はその逆方向へシフトすることが好適である。
【発明の効果】
【００１１】
以上説明したように、本発明によれば、前記保持容量ラインにおける第１のレベルと第２のレベルの差の電圧値を変更することで、コントラストや画面輝度を調整することができる。
【発明を実施するための最良の形態】
【００１２】
以下、本発明の実施形態について、図面に基づいて説明する。
【００１３】
図１に、本実施形態の概略構成を示す。画素回路１は表示領域全体にマトリクス配置されている。マトリクス配置は、完全な格子状ではなく、ジグザグ状でもよい。また、表示は、モノクロでもフルカラーでもよく、フルカラーの場合通常画素はＲＧＢの３色であるが、必要に応じて白を含む特定の色の画素を追加することも好適である。
【００１４】
１つの画素回路１は、図に示すように、データラインＤＬにドレインが接続されたｎチャネルの画素ＴＦＴ１０と、この画素ＴＦＴ１０のソースに接続された液晶素子１２および保持容量１４を有している。画素ＴＦＴ１０のゲートには、各水平走査ライン毎に配置されるゲートラインＧＬが接続されている。ここで、画素ＴＦＴ１０のゲートソース間には、ゲート容量１８が必然的に発生する。
【００１５】
液晶素子１２は、画素ＴＦＴ１０のソースにその画素毎に個別に設けられる画素電極が接続され、この画素電極に対し、液晶を挟んで全画素共通の共通電極が対向配置されて構成されている。なお、共通電極は、共通電極電源Ｖｃｏｍに接続されている。
【００１６】
また、保持容量１４は、画素ＴＦＴ１０のソースを構成する半導体層を延長した部分がそのまま一方の電極となり、酸化膜を介して対向形成された容量ラインＳＣが一部が対向電極になっている。なお、保持容量１４の電極になる部分を画素ＴＦＴ１０の部分と切り離して別の半導体層として、両者をメタル配線で接続してもよい。
【００１７】
ここで、容量ラインＳＣは、１行（水平走査ライン）に対し、ＳＣ−Ａ、ＳＣ−Ｂの２本があり、水平走査方向において、各画素回路の保持容量がＳＣ−Ａ、ＳＣ−Ｂに交互に接続されている。この図に示した画素回路では、保持容量１４は、容量ラインＳＣ−Ａに接続されており、隣の画素の保持容量１４が容量ラインＳＣ−Ｂに接続されている。また、この画素において、容量ラインＳＣ−Ｂは接続されていないが画素領域中を通過する。従って、液晶の画素電極のノードと容量ラインＳＣ−Ｂとの間に寄生容量１６が発生する。
【００１８】
ゲートラインＧＬには、垂直ドライバ２０が接続されており、この垂直ドライバ２０が、ゲートラインＧＬを１水平期間毎に順次１本ずつ選択してＨレベルにする。垂直ドライバ２０は、シフトレジスタを有しており、１垂直走査期間の開始を示す信号ＳＴＶを受け、シフトレジスタの１段目をＨレベルとし、その後例えばクロック信号によってＨレベルを１つずつシフトすることで、各水平走査ラインのゲートラインＧＬを順次１本ずつ選択してＨレベルにする。ここで、例えばゲートラインＧＬのＨレベルはＶＤＤ電位であり、ＬレベルはＶＳＳ電位であり、これら電源電圧ＶＤＤ、ＶＳＳが垂直ドライバ２０に供給され、これによって垂直ドライバの出力であるゲートラインＧＬのＨレベル、Ｌレベルが設定される。
【００１９】
ＳＣドライバ２２は、電圧発生回路２４から２つの電圧レベルＶｓｃ（Ｈ）、Ｖｓｃ（Ｌ）の供給を受け、これを用いて、２つの保持容量ラインＳＣ−Ａ、ＳＣ−Ｂの電圧を制御する。また、電圧発生回路２４は、データメモリ２６に記憶されている設定データに基づいて、Ｖｓｃ（Ｈ）、Ｖｓｃ（Ｌ）を発生する。
【００２０】
データメモリ２６内の設定データは、外部から供給される設定信号によって、書き換え可能であり、設定信号に応じた設定データがデータメモリ２６に記憶される。電圧発生回路２４は、データメモリ２６に記憶されている設定データに基づいて、Ｖｓｃ（Ｈ）、Ｖｓｃ（Ｌ）を発生する。従って、設定信号によって、Ｖｓｃ（Ｈ）、Ｖｓｃ（Ｌ）が設定可能になっている。なお、電圧発生回路は、ＶＤＤおよびＶＳＳからＶｓｃ（Ｈ）、Ｖｓｃ（Ｌ）を利用して、定電圧発生回路を用いて、Ｖｓｃ（Ｈ）、Ｖｓｃ（Ｌ）を発生する。簡単には、抵抗分割などが利用できる。
【００２１】
なお、設定信号は、外部のマイコンからシリアル転送などによって、データメモリ２６に記憶するとよい。
【００２２】
表示装置には、通常コントラストや明るさの調整ボタンなどが設けられており、その設定値に応じて設定信号が決定され、これがデータメモリ２６に記憶される。
【００２３】
なお、工場出荷時において、個体差を補償するためのデータを不揮発性メモリに記憶しておき、これを初期値として設定し、その値をさらに調整可能とすることも好適である。
【００２４】
なお、図示は省略してあるが、表示装置には、例えば水平ドライバも設けられており、入力されてくるビデオ信号のデータラインＤＬへの線順次の供給を制御する。すなわち、この例では、画素毎のビデオ信号のクロックに応じ、画素毎のサンプリングクロックを水平ドライバが出力し、このサンプリングクロックによって、スイッチをオンオフして１水平走査ライン分のビデオ信号（データ信号）をラッチする。そして、ラッチした１水平走査ラインの各画素についてのデータ信号を１水平走査期間にわたって、データラインＤＬに出力する。
【００２５】
なお、実際にはビデオ信号は、ＲＧＢの３種類あり、垂直方向の各画素は、Ｒ、Ｇ、Ｂのいずれか１つの同一色の画素になっている。そこで、データラインＤＬには、ＲＧＢのいずれか１色のデータ信号が設定される。
【００２６】
そして、本実施形態の装置では、ドット反転方式のＡＣ印加方式を採用している。すなわち、水平走査方向の各画素（ドット）では、液晶素子１２の画素電極に印加する電圧が、共通電極の電圧Ｖｃｏｍに対し極性が反対のデータ信号として印加される。
【００２７】
図３の左側に示したのは、第１の極性によるデータ信号であり、Ｖｖｉｄｅｏと書いた三角形の斜辺が、輝度に応じたデータ信号（書き込み電圧）を示している。データ信号は、黒レベルから白レベルまでＶｂの電圧差（ダイナミックレンジ）であり、電圧シフト後の画素電極に印加される電圧は、Ｖｃｏｍを中心として電圧がＶｃｏｍに近い方が白、離れた方が黒になっている。従って、この例では、白レベルがＶｃｏｍ−Ｖｂ／２、黒レベルがＶｃｏｍ＋Ｖｂ／２となっている。また、隣接画素では、図３の右側に示したように、第１の極性とは反対の第２の極性になっており、白レベルがＶｃｏｍ＋Ｖｂ／２、黒レベルがＶｃｏｍ−Ｖｂ／２となっている。
【００２８】
そして、図２に示すように、画素ＴＦＴ１０のオン期間が終了しデータの書き込みが終了した後、容量ラインＳＣ−Ａ、ＳＣ−Ｂが所定電圧ΔＶｓｃだけシフトする。この例では、液晶としてノーマリホワイトのＴＮタイプが使用されている。しかし、後述するようにノーマリブラックの垂直配向（ＶＡ）タイプのものも好適である。
【００２９】
図３の左側の画素については、容量ラインＳＣ−Ａが接続されており、ＶｓｃはΔＶｓｃだけ電圧を高い方向にシフトされる。また、図３の右側の画素については、容量ラインＳＣ−Ｂが接続されており、ＶｓｃはΔＶｓｃだけ電圧を低い方向にシフトされる。
【００３０】
これによって、図３に示すように、画素電極に印加されたデータ信号は、ΔＶｓｃに応じた電圧だけシフトされ、これがＶｃｏｍとの間に印加されることになる。ここで、ΔＶｓｃは、液晶の印加電圧に応じた透過率の変化が開始されるしきい値電圧Ｖａｔｈに対応した電圧に設定されており、シフト後の電圧によって、液晶素子１２による表示が可能となる。また、データ信号のダイナミックレンジは、シフト後のダイナミックレンジが表示における黒レベルから白レベルの表示が行える電圧差となるように設定される。
【００３１】
なお、図３において、Ｖａ（Ｗ）は、白レベルのデータ信号のシフト量、Ｖａ（Ｂ）は黒レベルのデータ信号のシフト量であり、シフト量は、ΔＶｓｃに対応する。また、Ｖｂはデータ信号の黒レベルと白レベルの電圧差（ダイナミックレンジ）、Ｖｂ’はシフト後のダイナミックレンジである。
【００３２】
ここで、シフト後の液晶素子１２の画素電極の電圧値Ｖｐｉｘｅｌは、次の式で表される。
Ｖpixel＝Ｖvideo±｛（Ｃsc−Ｃpa）／（Ｃgs＋Ｃlc＋Ｃsc＋Ｃpa）｝・ΔＶsc
ここで、Ｃｇｓ，Ｃｐａ＜＜Ｃｓｃ，Ｃｌｃの時、Ｖｐｉｘｅｌは、次のように表される。
Ｖpixel≒Ｖvideo±Ｃsc／（Ｃlc＋Ｃsc）・ΔＶsc
【００３３】
また、ＴＮ液晶は、電圧を印加していない状態で分子が電極に対し、平行な方向を向き、そのときの誘電率ε//は、電圧を印加した状態で分子が電極に対し垂直な方向を向いているときの誘電率ε⊥に比べ、小さい。すなわち、ε⊥＞ε//である。また、液晶素子の容量値であるＣｌｃは、液晶材料の誘電率によって決まり、従って、Ｃｌｃ⊥＞Ｃｌｃ//となる。
【００３４】
本実施形態の場合、ＴＮタイプのノーマリホワイトの液晶を利用している。そこで、電圧の印加によって黒表示が行われる。シフト後のＶｃｏｍに対する黒レベル電圧をＶＢ、書き込み時のダイナミックレンジＶｂ、黒レベルの電圧シフト量をＶａ（Ｂ）、白レベルの電圧シフト量をＶａ（ｗ）とすると、Ｖａ（Ｂ）、Ｖａ（ｗ）は次のように表される。
Ｖａ（Ｂ）＝Ｃsc／（Ｃlc⊥＋Ｃsc）・ΔＶsc
Ｖａ（Ｗ）＝Ｃsc／（Ｃlc//＋Ｃsc）・ΔＶsc
従って、Ｖａ（Ｗ）＞Ｖａ（Ｂ）となる。
また、シフト後のダイナミックレンジＶｂ’は、次のように表される。
Ｖｂ’＝Ｖｂ−｛Ｖａ（Ｗ）−Ｖａ（Ｂ）｝
従って、Ｖｂ’＜Ｖｂである。
【００３５】
これらの関係から、ΔＶｓｃの大きさを変更することで、Ｖａ（Ｂ）、Ｖａ（Ｗ）およびＶｂ’を変更できることがわかる。
【００３６】
本実施形態では、上述のように、設定信号によって、Ｖｓｃ（Ｈ）、Ｖｓｃ（Ｌ）を変更し両者の差であるΔＶｓｃを変更する。そして、このΔＶｓｃの変更によって、輝度およびコントラストの調整を行う。すなわち、Ｖａ（Ｂ），Ｖａ（Ｗ）が変化することで輝度が変化し、Ｖｂ’が変化することでコントラストが変化し、ΔＶｓｃの調整によって輝度およびコントラストの調整が行える。
【００３７】
なお、画素回路は、電源電圧ＶＤＤに基づいて動作している。従って、シフト電圧ΔＶｓｃは、ＶＤＤより低いことが望ましく、ΔＶsc＜ＶDDを満足することが好適である。
【００３８】
また、図４には、ＴＮ液晶とＶＡ液晶の印加電圧に対する透過率を示してある。ＴＮ液晶の場合には、液晶に印加する電圧を上昇していくと、当初透過率が一定の高レベル（白レベル）であり、液晶に印加する電圧がしきい値電圧を超えると透過率が減少し始め、その後透過率が一定の割合で減少し、一定の低レベル（黒レベル）になる。一方、ＶＡ液晶の場合には、液晶に印加する電圧を上昇していくと、当初透過率が一定の低レベル（黒レベル）であり、液晶に印加する電圧がしきい値電圧を超えると透過率が増加し始め、その後透過率が一定の割合で増加し、一定の高レベル（白レベル）になる。
【００３９】
また、ＴＮ液晶と、ＶＡ液晶では、表示に必要な電圧範囲（ダイナミックレンジ）は異なるが、本実施形態ではΔＶｓｃの変更により電圧範囲を調整できる。
【００４０】
また、ＳＣドライバ２２において、垂直ドライバ２０において使用する電源電圧ＶＤＤ、ＶＳＳのいずれか一方を容量ラインＳＣ（ＳＣ−ＡまたはＳＣ−Ｂ）におけるＨレベル電圧（Ｖｓｃ（Ｈ））またはＬレベル電圧（Ｖｓｃ（Ｌ））に利用することが好適である。なお、垂直ドライバ２０には、ＶＤＤ、ＶＳＳの他に、ＧＮＤ電位も供給されている。すなわち、垂直ドライバ２０は、ゲートラインＧＬを駆動するためのシフトレジスタを有しているが、このシフトレジスタにおいてＧＮＤ電位を利用している。そこで、このＧＮＤ電位をＨレベル電圧（Ｖｓｃ（Ｈ） ）またはＬレベル電圧（Ｖｓｃ（Ｌ） ）のいずれか一方に利用することもできる。従って、ＳＣドライバ２２においては、Ｈレベル電圧（Ｖｓｃ（Ｈ） ）およびＬレベル電圧（Ｖｓｃ（Ｌ） ）の両方に、垂直ドライバ２０において利用する電位を利用することも好適である。さらに、パネルに入力されてくる電位であれば、他の電位であっても利用可能である。なお、以下の説明では、基本的に、ＳＣドライバ２２のＨレベル電圧（Ｖｓｃ（Ｈ） ）またはＬレベル電圧（Ｖｓｃ（Ｌ） ）の一方にＶＤＤまたはＶＳＳを利用することを例に挙げて説明する。
【００４１】
すなわち、図５に示すように、容量ラインＳＣにＨレベルを供給する期間についてＨレベルとなる表示制御信号がスイッチＳＷ１、ＳＷ２の制御端に供給される。スイッチＳＷ１、ＳＷ２は、それぞれｎチャネルＴＦＴと、ｐチャネルＴＦＴが並列接続された構成となっており、スイッチＳＷ１のｐチャネルＴＦＴのゲートと、スイッチＳＷ２のｎチャネルＴＦＴのゲートが接続され、ここに表示制御信号をインバータで反転した信号が供給され、スイッチＳＷ１のｎチャネルＴＦＴのゲートと、スイッチＳＷ２のｐチャネルＴＦＴのゲートに表示制御信号が供給されている。また、スイッチＳＷ１の入力には、例えばＶＤＤまたはＶｓｃ（Ｈ）が入力され、スイッチＳＷ２の入力には、Ｖｓｃ（Ｌ）またはＶＳＳが入力される。そして、スイッチＳＷ１、ＳＷ２の出力は、容量ラインＳＣ−ＡまたはＳＣ−Ｂに接続されている。
【００４２】
すなわち、ＳＣドライバ２２には、容量ラインＳＣ−Ａ、ＳＣ−Ｂを駆動するために、２つの電圧が必要であるが、本実施形態ではそのうちの１つを垂直ドライバ２０において利用するＶＤＤまたはＶＳＳとしている。例えば、ＬレベルにＶｓｃ（Ｌ）を利用する場合には、ＨレベルをＶＤＤとし、ＨレベルにＶｓｃ（Ｈ）を利用する場合には、ＬレベルをＶＳＳとする。従って、表示装置においては、Ｖｓｃ（Ｈ）またはＶｓｃ（Ｌ）のいずれか一方を発生すればよく、電源回路を簡略化することができる。また、ＳＣドライバ２２は垂直ドライバ２０に近接して設けられるため、垂直ドライバ２０に入力されるＶＤＤまたはＶＳＳをＳＣドライバ２２に入力する配線は短くてよい。
【００４３】
なお、図５に示す回路は、１つの容量ラインＳＣ（ＳＣ−ＡまたはＳＣ−Ｂ）に対し、１つ設けられ、例えばＨレベルと、Ｌレベルの差がΔＶｓｃとなるように、Ｖｓｃ（Ｌ）がＶＤＤに対し決定されるか、またはＶｓｃ（Ｈ）がＶＳＳに対し決定される。
【００４４】
そして、この図５の回路によって、表示制御信号がＨレベルの時には、スイッチＳＷ１がオンとなり、例えばＶｓｃ（Ｈ）が出力され、表示制御信号がＬレベルの時には、スイッチＳＷ２がオンとなり、例えばＶｓｓが出力される。
【００４５】
ここで、ＶＡ液晶を用いたＶＡモードの表示装置における画素の構造および動作について、図６に基づいて説明する。
【００４６】
図６（ａ）、（ｂ）は、ＶＡ液晶を用いたＶＡモード液晶表示装置（ＬＣＤ）の概略断面、一例として図６（ｃ）に示すような概略平面構造を有するＬＣＤのＡ−Ａ線に沿った断面構造を示している。このＬＣＤでは、通常配向膜はラビング処理を施さないラビングレスタイプが採用される。このため、液晶の初期配向はプレチルトがなく、電圧非印加状態では、液晶分子の長軸方向が基板の法線方向に向いて配向している。垂直方向に初期配向した液晶分子６０は、図６（ａ）及び（ｂ）に示すように、ＬＣＤの共通電極４０と画素電極３０との間に電圧を印加し始めると、最初の電圧の低い状態で発生する弱電界（図中、点線で示す電気力線参照）が、画素電極３０の端部などで斜めに傾き、この斜め電界によって、電圧上昇に追従して液晶分子が倒れていく方角が規定される。
【００４７】
なお、例えば１画素領域内でそれぞれ、図示するように、配向分割部５０を設けておくことで、１画素領域内の複数領域でそれぞれ異なる方角に分割できる。図６の例では、この配向分割部５０は、電極不在領域（窓）や電極上に突起部を設けることで構成でき、共通電極４０と画素電極３０の両方にそれぞれ画面の垂直方向に折れ線状に延びるパターンで形成されている。なお、このようなパターンに限られるものではなく、例えば１画素領域内で、長手方向の上端および下端が２股に分かれたようなパターンで、電極不在領域（窓）や突起部を設けることで構成してもよい。このような配向分割部５０により、図６（ａ）、（ｂ）に示すように、１画素内における液晶配向方角の境界をこの分割部５０に固定でき、液晶分子の倒れていく方角の画素内での境界位置が、画素毎や、各駆動タイミング毎に異なり、表示がざらつくなどの表示品質への悪影響を防いでいる。
【００４８】
なお、本実施形態では、パネル背後などに配置された光源からの光だけで表示を行い、画素電極及び共通電極の両方にＩＴＯなどの透明導電性電極を採用した透過型ＬＣＤ、画素電極として反射金属電極を用い外光からの光を反射して表示を行う反射型ＬＣＤ、さらに光源使用時には透過モードとして、光源を消灯した際には反射モードとして機能する半透過ＬＣＤのいずれのタイプにも採用可能である。反射型ＬＣＤや半透過型ＬＣＤなどでは、一層のコントラストの向上等が求められているが本実施形態のように極性反転を行うことで、例えばＥＣＢモードの反射型や半透過型ＬＣＤであっても十分に高いコントラストで表示を行うことが可能となる。
【図面の簡単な説明】
【００４９】
【図１】実施形態の構成を示す図である。
【図２】容量ラインＳＣ−Ａ、ＳＣ−Ｂの信号波形を示す図である。
【図３】電圧のシフトの状態を示す図である。
【図４】ＴＮ液晶と、ＶＡ液晶の透過率変化を示す図である。
【図５】ＳＣドライバの構成を示す図である。
【図６】ＶＡモードの画素の構造および動作を示す図である。
【符号の説明】
【００５０】
１  画素回路、１２  液晶素子、１４  保持容量、２０  垂直ドライバ、２２  ドライバ、３０  画素電極、４０  共通電極、５０  配向分割部、６０  液晶分子、ＤＬ  データライン、ＧＬ  ゲートライン、ＳＣ  容量ライン、ＳＷ１，ＳＷ２  スイッチ。
【図１】
2006011393.tif 000003
【図２】
2006011393.tif 000004
【図４】
2006011393.tif 000005
【図５】
2006011393.tif 000006
【図６】
2006011393.tif 000007
【図３】
2006011393.tif 000008